(57)【要約】【目的】文字パターン間の余白列を取り除き、限られた表示スペース内で情報量を増加し、かつ文字列を判読可能にする「文字列表示装置およびその表示方法」を提供することにある。【構成】所定の文字列を構成する文字に応じた文字フォントをフォントメモリから読み出し、該読み出された各文字フォントの文字パターン間に余白列をおかずに連続的に表示部に表示し、かつ各文字の階調を文字列方向に徐々に変化させて表示する、もしくは該文字列の文字毎に該文字の濃淡、または色相を変化させて表示する。【選択図】図１
2009258221.tif 000002
【特許請求の範囲】
【請求項１】
文字パターンをドットで表現した文字フォントをフォントメモリに保存し、該メモリより所望の文字フォントを読み出してドットマトリックス形式で表示部に表示する文字列表示方法において、
所定の文字列を構成する文字に応じた文字フォントをフォントメモリから読み出し、
該読み出された各文字フォントの文字パターン間に余白列をおかずに連続的に表示部に表示し、
かつ、各文字の階調を文字列方向に徐々に変化させて表示する、
ことを特徴とする文字列表示方法。
【請求項２】
文字パターンをドットで表現した文字フォントをフォントメモリに保存し、該メモリより所望の文字フォントを読み出してドットマトリックス形式で表示部に表示する文字列表示方法において、
所定の文字列を構成する文字に応じた文字フォントをフォントメモリから読み出し、
該読み出された各文字フォントの文字パターン間に余白列をおかずに連続的に表示部に表示し、
かつ、前記文字列の文字毎に該文字の濃淡、または色相を変化させて表示する、
ことを特徴とする文字列表示方法。
【請求項３】
文字パターンをｍ×ｎ個のドットで表現し、かつ該文字パターンの一部を構成するドットが前記ｎ個の各列に含まれるように前記文字フォントを生成すること、を特徴とする請求項１または２記載の文字列表示方法。
【請求項４】
文字パターンをドット形式で表現した文字フォントを用いてドットマトリクス形式で文字列を表示する文字列表示装置において、
文字フォントを記憶するフォントメモリと、
表示する文字列を発生する表示文字列発生部と、
ドットマトリクス形式で文字列を表示する表示部と、
所定の文字列を構成する文字に応じた文字フォントをフォントメモリから読み出し、該読み出された各文字フォントの文字パターン間に余白列をおかず連続的に前記表示部に表示し、かつ各文字の階調を文字列方向に徐々に変化させて前記表示部に表示するように制御を行う表示制御部と、
を備えたことを特徴とする文字列表示装置。
【請求項５】
文字パターンをドット形式で表現した文字フォントを用いてドットマトリクス形式で文字列を表示する文字列表示装置において、
文字フォントを記憶するフォントメモリと、
表示する文字列を発生する表示文字発生部と、
ドットマトリクス形式で文字列を表示する表示部と、
所定の文字列を構成する文字に応じた文字フォントをフォントメモリから読み出し、該読み出された各文字フォントの文字パターン間に余白列をおかず連続的に前記表示部に表示し、かつ前記文字列の文字毎に該文字の濃淡、または色相を変化させて前記表示部に表示するように制御を行う表示制御部と、
を備えたことを特徴とする文字列表示装置。
【請求項６】
文字パターンをｍ×ｎ個のドットで表現し、かつ該文字パターンの一部を構成するドットが前記ｎ個の各列に含まれるように前記文字フォントを生成すること、を特徴とする請求項４または５記載の文字列表示装置。
【発明の詳細な説明】
【技術分野】
【０００１】
本発明は、文字列表示装置およびその表示方法に係り、特に文字パターンをドット形式で表現した文字フォントを用いてドットマトリクス形式で文字列を表示する文字列表示装置およびその表示方法に関する。
【背景技術】
【０００２】
一般の文字列表示装置は、文字パターンを記憶するフォントメモリを有している。各文字の文字パターンは例えばｍ×ｌドットのマトリクスで表現され、表示する文字列に従ってフォントメモリから順次読み出され、表示画面に表示される。このｍ×ｌドットのマトリクス中には図８（Ａ）に示すように文字パターンが存在しない余白列９０があり、この余白列９０を含んだまま図８（Ｂ）に示すように表示画面に表示される。
【０００３】
近年、装置の小型化、その他の理由で液晶ディスプレイなどの表示画面は省スペース化が進んでおり、上記表示方法では文字間に２つの余白列９０が存在するため表示できる情報量が少なくなってしまうという問題点があった。
【０００４】
そこで、従来技術として、ｍ×ｌドットで表現された文字（文字フォント）を読み出す際に、該文字フォント内で余白列を検出して該余白列を取り除き、表示画面９１に図９に示すように文字間に１つの余白列９３を設けて文字列９２を表示している（特許文献１）。このようにすれば文字の区別ができ、余白列が１つであるため表示する情報量を増加することがきる。
【特許文献１】特開平７−３６６４１２号公報
【発明の開示】
【発明が解決しようとする課題】
【０００５】
しかし、上記従来技術においては、判読可能にするための文字パターン間の余白列９３が存在するためその分だけ、表示できる情報量が少なくなるという問題点がある。
【０００６】
以上より、本発明の目的は文字パターン間の余白列を取り除き、限られた表示スペース内で情報量を増加し、かつ文字列を判読可能にすることである。
【課題を解決するための手段】
【０００７】
本発明は、文字パターンをドット形式で表現した文字フォントを用いてドットマトリクス形式で文字列を表示する文字列表示装置およびその表示方法である。
【０００８】
本発明の文字列表示方法は、所定の文字列を構成する文字に応じた文字フォントをフォントメモリから読み出し、読み出された各文字フォントの文字パターン間に余白列をおかずに連続的に表示部に表示し、かつ、各文字の階調を文字列方向に徐々に変化させて表示する。
本発明の別の文字列表示方法は、所定の文字列を構成する文字に応じた文字フォントをフォントメモリから読み出し、該読み出された各文字フォントの文字パターン間に余白列をおかずに連続的に表示部に表示し、かつ、前記文字列の文字毎に該文字の濃淡、または色相を変化させて表示する。
文字パターンは、例えばｍ×ｎ個のドットで表現し、かつ該文字パターンの一部を構成するドットが前記ｎ個の各列に含まれるように前記文字フォントを生成する。
【０００９】
本発明の文字列表示装置は、文字フォントを記憶するフォントメモリと、表示する文字列を発生する表示文字列発生部と、ドットマトリクス形式で文字列を表示する表示部と、  所定の文字列を構成する文字に応じた文字フォントをフォントメモリから読み出し、該読み出された各文字フォントの文字パターン間に余白列をおかず連続的に前記表示部に表示し、かつ各文字の階調を文字列方向に徐々に変化させて前記表示部に表示するように制御を行う表示制御部と、を備えている。
本発明の別の文字列表示装置は、文字フォントを記憶するフォントメモリと、表示する文字列を発生する表示文字発生部と、ドットマトリクス形式で文字列を表示する表示部と、所定の文字列を構成する文字に応じた文字フォントをフォントメモリから読み出し、該読み出された各文字フォントの文字パターン間に余白列をおかず連続的に前記表示部に表示し、かつ前記文字列の文字毎に該文字の濃淡、または色相を変化させて前記表示部に表示するように制御を行う表示制御部と、を備えている。
文字パターンは、例えばｍ×ｎ個のドットで表現し、かつ該文字パターンの一部を構成するドットが前記ｎ個の各列に含まれるように前記文字フォントを生成する。
【発明の効果】
【００１０】
本発明によれば、文字パターンを文字列方向に徐々に変化させる、もしくは該文字列の文字毎に該文字の濃淡、または色相を変化させるようにしたので、文字パターン間の余白列を取り除くことができ、限られた表示スペース内で情報量を増加することができ、かつ文字列を判読できるようになる。
【発明を実施するための最良の形態】
【００１１】
（Ａ）本発明の概要
図１は本発明の概略説明図である。１はドットマトリクス形式で文字列を表示する表示部、２は表示する文字列、３は本発明により増加した文字スペースである。
【００１２】
文字列２（「MY BEST POPSONG」）を表示部１に表示する際、図１に示すように文字間にスペースをおかずに連続的に表示し、かつ各文字の階調を文字列方向に徐々に変化させて表示する。
【００１３】
従来は、文字パターン間に判読可能とするために余白列をおく必要があり、該余白列分だけ表示できる情報量が少なくなっていたが、本発明によれば文字列の各文字の階調を文字列方向に徐々に変化させて表示することにより判読のための文字パターン間の余白列を取り除くことができ、限られた表示スペース内で情報量を増加することができ、かつ文字列を判読できるようになる。図１の表示例では従来の表示例と比べて３文字分の文字スペース３が発生する。尚、ワード間には１文字分の余白をおいている。
【００１４】
（Ｂ）第１実施例
図２は本発明の第１実施例の文字列表示装置の構成図である。２１は表示文字列発生部、２２は表示文字データ記憶部、２３は文字フォント記憶部、２４は制御部、２５はラインバッファ、２６は表示部である。尚、表示部にアルファベット、数字、記号等を表示するものとする。
【００１５】
表示文字列発生部２１は、例えばオーディオ機器における記録媒体（ＣＤ、ＤＶＤ、ＨＤＤなど）の再生状態やラジオの受信状態を表示する情報を文字列として発生する。記録媒体の再生状態情報としては、例えば楽曲のトラック番号、経過時間や残り時間等であり、これらの情報を文字列として発生し、ラジオの受信状態情報としては、例えば現在放送しているチャンネルのバンドや周波数などがありこれらの情報を文字列として発生する。表示文字データ記憶部２２は、表示文字列発生部２１が発生した文字列を入力されて、保存する。文字フォント記憶部２３は、表示する文字フォントをｍ×ｎ個のドットマトリクスで記憶している。
【００１６】
図３は文字フォント記憶部２３に記憶されている文字フォントの例を示した図である。図３（Ａ）はｍ×ｎ（ｍ＝７、ｎ＝５）個のドットマトリクスを全て使用した一般的な文字フォントの例であり、図３（Ｂ）は、例えば「Ｉ」といったｍ×ｎ個のドットマトリクスの全てを使用しない細い文字フォントの例である。すなわち、図３（Ｂ）に示すように、細文字（アルファベットの「Ｉ」や数字の「１」等）はｍ×ｎ個のドットマトリクスの文字フォントで記憶するが、文字パターンの両側に一列ずつ余白列が含まれる。
【００１７】
制御部２４は、表示文字データ記憶部２２から表示する文字列の文字データを取り込み、文字フォント記憶部２３より該文字データに対応する文字フォントを読み出す。ラインバッファ２５は、制御部２４が文字フォント記憶部２３より読み出した最大Ｃ個の文字フォントを記憶できるようになっている。すなわち、図に示すように、ｍ×ｎ個の文字フォントを文字フォント間に余白列をおかずに最大Ｃ文字分記憶する容量を有している。尚、各行のｎ×Ｃドットを１ドットラインという。表示部２６は、ラインバッファ２５が記憶している文字フォントを文字間にスペースをおかずに連続的に表示し、かつ各文字の階調を文字列方向に徐々に変化させて表示する。但し、ワード間には１文字分の余白をおいて表示する。
【００１８】
図４は表示部２６の詳細な構成図である。２７は読出部、２８は駆動制御部、２９は走査電極駆動部、３０はラインバッファ２５から読み出した所定の行の１ドットラインのイメージデータを記憶するドットラインメモリ、３１は信号電極駆動部、３２はｍ×（Ｃ×ｎ）個の表示素子よりなる表示パネルである。
【００１９】
駆動制御部２８は、後段の走査電極駆動部２９に対してどの行のラインに電圧を発生するか指示すると同時に読出部２７に該行のドットラインのイメージデータをラインバッファ２５から読み出して、後段のドットラインメモリ３０に入力するように制御する。読出部２７は、駆動制御部２８から指示された行の１ドットライン（ｎ×Ｃドット）のイメージデータをラインバッファ２５から読み出してドットラインメモリ３０に保存する。走査電極駆動部２９は駆動制御部２８から指示された行のラインに電圧を発生する。信号電極駆動部３１は、ｎ×Ｃ個の電圧発生部Ｅを備え、各電圧発生部Ｅはドットラインメモリ３０に記憶されているｎ×Ｃドットの対応するデータの“１”、“０”によりオン／オフし、“１”の場合、対応する列のラインに電圧を発生する。１文字に対応するｎ個の電圧発生部Ｅは、表示文字に階調を持たせるために発生電圧を左より右に順に徐々に大きくしている。
【００２０】
表示パネル３２は第ｉ行目のドットラインのイメージデータがドットラインメモリ３０に記憶されているとき、第ｉ行目のｎ×Ｃ個の素子をｎ×Ｃドットのイメージデータで階調表示する。尚、行の電圧と列の電圧との差によって、階調表示をする。例えば、行の電圧と列の電圧の差が大きくなるにつれて、色が暗くなって表示される。
【００２１】
以上、述べた方法でそれぞれの行のドットを発光させて、これを０行目から（ｍ−１）行目まで順次高速に、かつ繰り返し行うことにより残像効果を得ることで、文字列を表示する。
【００２２】
次に文字列表示装置の全体の動作について説明を行う。
表示文字列発生部２１は、例えば記録媒体（ＣＤ、ＤＶＤ、ＨＤＤなど）の再生状態やラジオの受信状態を表示する情報を文字列として発生し、該文字列を表示文字データ記憶部２２に入力する。
【００２３】
制御部２４は、表示文字データ記憶部２２より該文字列を読み出し、読み出した文字列に応じた文字フォントを文字フォント記憶部２３より読み出し、該文字列の文字フォントを文字フォント間に余白列をおかずにラインバッファ２５に入力する。尚、ワード間には１文字分のスペースをおく。
駆動制御部２８は、走査電極駆動部２９が０行目から（ｍ−１）行目までのそれぞれの行に所定の周期で電圧を発生するように制御を行うと共に、読出部２７がラインバッファ２５に記憶されている文字列の各ドットラインのイメージデータを０行目から（ｍ−１）行目まで前記周期で一行ずつ読み出し、ドットラインメモリ３０に入力するように制御を行う。
【００２４】
信号電極駆動部３１は前記周期で順次ドットラインメモリ３０に記憶されたイメージデータのｎ×Ｃ個のドットの“１”、“０”に基づいて、１〜（ｎ×Ｃ）本の各列ラインに所定レベルの電圧を発生し表示パネル３２の所定ラインの素子を階調表示する。そして、上記制御を０〜（ｍ−１）行まで切り替え、かつ繰り返して行うことにより、文字列表示装置は、図１に示すように表示部１に文字列２の各文字を徐々に階調を変化させて表示する。
【００２５】
以上、第１実施例によれば、文字列の各文字の階調を文字列方向に徐々に変化させて表示することにより文字パターン間の余白列を取り除くことができ、限られた表示スペース内で情報量を増加することができ、かつ文字列を判読できるようになる。
【００２６】
（Ｃ）変形例
第１実施例では余白列のない文字フォントを使用したが（但し、細文字は例外）、変形例では余白列を含む文字フォントを使用する。変形例の文字列の表示装置は図示しないが、第１実施例の文字列表示装置のブロック構成と同一であり、異なる点は文字フォント記憶部２３に記憶されている文字フォントがｍ×ｌのドットマトリクスで余白列を含んでいる点と制御部２４が該余白列を取り除きｍ×ｎのドットマトリクスを生成する処理を有する点である。余白列を含む文字フォントを図５（Ａ）に示す。５０は文字フォント記憶部２３に記憶されているドットマトリクスの文字フォント、５１は余白列、５２は制御部２４が余白列５１を取り除いたｍ×ｎ文字パターンである。
【００２７】
以下に第１実施例と異なる動作について、説明を行う。制御部２４は、表示文字データ記憶部２２から表示する文字列の文字データを取り込み、文字フォント記憶部２３より該文字データに対応する文字フォントを読み出す。ここで、図５（Ａ）に示すようにｍ×ｌのドットマトリクスで余白列５１を含む文字フォントを読み出す。しかる後、制御部２４は、該文字フォントの余白列５１を取り除き、図５（Ｂ）に示すように余白列を取り除いたｍ×ｎの文字フォントをラインバッファ２５に入力する。以後、第１実施例と同様の動作が行われて文字列が表示部に表示される。
【００２８】
以上より、本変形例によれば、文字フォントが余白列を含む場合であっても、第１実施例と同様の効果を得ることができ、限られた表示スペース内で情報量を増加することができ、かつ文字列を判読できるようになる。
【００２９】
（Ｄ）第２実施例
第１実施例では表示する文字フォントを文字間にスペースをおかずに連続的に表示し、かつ各文字の階調を文字列方向に徐々に変化させて表示したが、第２実施例では階調を変化させず文字列の文字毎に該文字全体の濃淡を変化させて表示する。
【００３０】
第２実施例の文字列表示装置は第１実施例と同一のブロック構成（図１）となるが、表示部２６の詳細な構成が異なっている。図６は第２実施例の表示部２６の詳細な構成図であり、図３の第１実施例の表示部２６の詳細な構成図と同一部分には同一符号を付している。異なる部分は、信号電極駆動部６１の電圧発生部Ｅの電圧の発生方法であり、該電圧発生方法により表示部６２の表示が第１実施例の表示と異なる。
【００３１】
信号電極駆動部６１は、ｎ×Ｃ個の電圧発生部Ｅを備え、各電圧発生部Ｅはドットラインメモリ３０に記憶されているｎ×Ｃドットの対応するデータの“１”、“０”によりオン／オフし、“１”の場合、対応する列のラインに電圧を発生する。１文字毎に濃淡を変化させるために、１文字に対応するｎ個の電圧発生部Ｅは同じレベルの電圧を発生する。尚、文字を判読可能にするために少なくとも隣り合う文字は同じ濃淡にならないように、隣り合う文字を表示するための電圧発生部Ｅは異なるレベルの電圧を発生する。
【００３２】
表示パネル６２は第ｉ行目のドットラインのイメージデータがドットラインメモリ３０に記憶されているとき、第ｉ行目のｎ×Ｃ個の素子をｎ×Ｃドットのイメージデータで濃淡を変化させて表示する。尚、行の電圧と列の電圧との差によって、濃淡を変化させて表示をする。例えば、行の電圧と列の電圧の差が大きくなるにつれて、色が暗くなって表示される。
【００３３】
次に文字列表示装置の全体の動作について説明を行う。図７は第２実施例の文字列表示装置の表示例であり、７１はドットマトリクス形式で文字列を表示する表示部、７２は表示する文字列、７３は本発明により増加した文字スペースである。各文字は交互に濃、淡を繰り返して表示されている。
表示文字列発生部２１（図２）は、例えば記録媒体（ＣＤ、ＤＶＤ、ＨＤＤなど）の再生状態やラジオの受信状態を表示する情報を文字列として発生し、該文字列を表示文字データ記憶部２２に入力する。
【００３４】
制御部２４は、表示文字データ記憶部２２より該文字列を読み出し、読み出した文字列に応じた文字フォントを文字フォント記憶部２３より読み出し、該文字列の文字フォントを文字フォント間に余白列をおかずにラインバッファ２５に入力する。尚、ワード間には１文字分のスペースをおく。
駆動制御部２８は、走査電極駆動部２９が０行目から（ｍ−１）行目までのそれぞれの行に所定の周期で電圧を発生するように制御を行うと共に、読出部２７がラインバッファ２５に記憶されている文字列の各ドットラインのイメージデータを０行目から（ｍ−１）行目まで前記周期で一行ずつ読み出し、ドットラインメモリ３０に入力するように制御を行う。
【００３５】
信号電極駆動部６１は前記周期で順次ドットラインメモリ３０に記憶されたイメージデータのｎ×Ｃ個のドットの“１”、“０”に基づいて、Ｃ文字のそれぞれに１文字毎に所定レベルの電圧を発生し表示パネル６２の所定ラインの素子の濃淡を文字毎に変化させて表示する。そして、上記制御を０〜（ｍ−１）行まで切り替え、かつ繰り返して行うことにより、文字列表示装置は、図７に示すように表示部７１に文字列７２の各文字の濃、淡を交互に変化させて表示する。
【００３６】
以上、第２実施例によれば、第１実施例と同じ効果を得ることができ、文字毎に濃淡を変化させて表示することにより文字パターン間の余白列を取り除くことができ、限られた表示スペース内で情報量を増加することができ、かつ文字列を判読できるようになる。
【００３７】
以上、第２実施例においては、１色の濃淡を変化させることにより文字パターン間の余白列がない状態でも判読可能にしたが、それに限定されるものではなく、文字毎の色相を変化させて判読可能にしてもよい。
また、第２実施例の文字フォントは第１実施例の文字フォントと同一の場合であるが、図５（Ａ）に示す文字フォントを使用し、第１実施例の変形例と同一の制御を行って、文字列を表示することもできる。
【図面の簡単な説明】
【００３８】
【図１】本発明の概略説明図である。
【図２】本発明の第１実施例の文字列表示装置の構成図である。
【図３】文字フォント記憶部に記憶されている文字フォントの例である。
【図４】第１実施例の表示部の詳細な構成図である。
【図５】本発明の第１実施例の変形例において文字フォント記憶部に記憶されている文字フォントである。
【図６】第２実施例の表示部の詳細な説明図である。
【図７】第２実施例の文字列表示装置の表示例である。
【図８】従来技術の文字パターンである。
【図９】従来技術の表示例である。
【符号の説明】
【００３９】
１  ドットマトリクス形式で文字列を表示する表示部
２  表示する文字列
３  本発明により増加した文字スペース
２１  文字列発生部
２２  表示文字データ記憶部
２３  文字フォント記憶部
２４  制御部
２５  ラインバッファ
２６  表示部
２８  駆動制御部
２９  走査電極駆動部
３０  ドットラインメモリ
３１  信号電極駆動部
３２  表示パネル
５０  変形例において文字フォント記憶部に記憶されているドットマトリクスの文字フォント
５１  余白列
５２  余白列５１を取り除いたｍ×ｎの文字パターン
６１  信号電極駆動部
７１  ドットマトリクス形式で文字列を表示する表示部
７２  表示する文字列
７３  本発明により増加した文字スペース
Ｅ  電圧発生部
【図１】
2009258221.tif 000003
【図２】
2009258221.tif 000004
【図３】
2009258221.tif 000005
【図４】
2009258221.tif 000006
【図５】
2009258221.tif 000007
【図６】
2009258221.tif 000008
【図７】
2009258221.tif 000009
【図８】
2009258221.tif 000010
【図９】
2009258221.tif 000011